(57)【要約】【課題】ケーブル１０を構成する導線１ａの端部と圧縮端子５ｂの接続筒部７ｂとの接続を容易に行なえる端子接続構造体及びその製造方法を実現する。【解決手段】上記導線１ａ端部の挿入接続部１２の先端部を、先半部が小径で基半部が大径の段付形状とし、内層の素線を先半部に、外層の素線を基半部に、それぞれ露出させる。これら各素線の外周面を覆った絶縁層のうち、上記挿入接続部１２の外周面に露出している絶縁層を、有機溶剤１８により剥離、除去する。その後、この挿入接続部１２を、内周面を段付形状とした上記接続筒部７ｂ内に挿入し、この接続筒部７ｂの直径を縮める。そして、この接続筒部７ｂの挿入孔９ｂの奥半部の内周面で上記挿入接続部１２の先半部外周面を、同じく開口側半部内周面でこの挿入接続部１２の基半部外周面を、それぞれ抑え付ける。【選択図】図２
2008148416.tif 000002
【特許請求の範囲】
【請求項１】
導体それぞれの外周面を絶縁層により被覆した複数本の素線を複数層に積層して成る導線を備えたケーブルと、この導線の端部を挿入可能な接続筒部を備えた圧縮端子とから成り、この接続筒部に上記導線の端部である挿入接続部を挿入した状態でこの接続筒部の直径を縮め、この接続筒部の内周面で上記導線の端部外周面を抑え付ける事により、この導線と上記圧縮端子とを接続した端子接続構造体に於いて、上記挿入接続部の先端寄り部分は、径方向外側の層を構成する素線を除去して径方向内側の層を構成する素線を露出させると共に、この径方向内側の層を構成する素線の外周面を被覆した絶縁層のうちで少なくとも上記挿入接続部の外周面部分に存在する絶縁層を除去してこれら各素線の導体を露出させており、上記挿入接続部の基端寄り部分は、径方向外側の層を構成する素線の外周面を被覆した絶縁層のうちで少なくとも上記挿入接続部の外周面部分に存在する絶縁層を除去してこれら各素線の導体を露出させており、上記接続筒部の内側空間のうち、上記挿入接続部の先端寄り部分を挿入する奥端寄り部分の内周面でこの挿入接続部の先端寄り部分の外周面を、この挿入接続部の基端寄り部分を挿入する開口端寄り部分の内周面でこの挿入接続部の基端寄り部分の外周面を、それぞれ抑え付けている事を特徴とする端子接続構造体。
【請求項２】
接続筒部の内側空間の径方向に関する断面形状及び大きさが、挿入接続部の先端寄り部分を挿入する奥端寄り部分と、この挿入接続部の基端寄り部分を挿入する開口端寄り部分とで互いに異なるものであり、上記奥端寄り部分を、少なくとも上記挿入接続部の先端寄り部分を挿入できる断面形状及び大きさとすると共に、上記開口端寄り部分を、この挿入接続部の基端寄り部分を挿入できる断面形状及び大きさとしている、請求項１に記載した端子接続構造体。
【請求項３】
導線が、素線を径方向に関して３層以上に積層する事により構成されたものであって、挿入接続部の先端寄り部分と基端寄り部分との間に、これら先端寄り部分及び基端寄り部分と先端側に向いた段差部を介して連続し、径方向に関する断面形状の大きさがこれら先端寄り部分と基端寄り部分との中間である、少なくとも１個所の挿入側中間部分が設けられており、接続筒部の内側空間の奥端寄り部分と開口端寄り部分との間に、これら奥端寄り部分及び開口端寄り部分と内側空間の開口側に向いた段差部を介して連続し、径方向に関する断面形状の大きさがこれら奥端寄り部分と開口端寄り部分との中間である、被挿入側中間部分が設けられている、請求項１〜２のうちの何れか１項に記載した端子接続構造体。
【請求項４】
導体それぞれの外周面を絶縁層により被覆した複数本の素線を複数層に積層して成る導線を備えたケーブルと、この導線の端部を挿入可能な接続筒部を備えた圧縮端子とから成り、この接続筒部に上記導線の端部である挿入接続部を挿入した状態でこの接続筒部の直径を縮め、この接続筒部の内周面で上記導線の端部外周面を抑え付ける事により、この導線と上記圧縮端子とを接続した端子接続構造体に於いて、上記挿入接続部の先端寄り部分は、径方向外側の層を構成する素線を除去して径方向内側の層を構成する素線を露出させると共に、この径方向内側の層を構成する素線の外周面を被覆した絶縁層のうちで少なくとも上記挿入接続部の外周面部分に存在する絶縁層を除去してこれら各素線の導体を露出させており、上記接続筒部の内側空間の径方向に関する断面形状及び大きさが、上記挿入接続部の先端寄り部分を挿入する奥端寄り部分からこの挿入接続部の基端寄り部分を挿入する開口端寄り部分に至る迄同一であり、上記挿入接続部の先端寄り部分には、導電材製で筒状のスペーサを外嵌しており、上記接続筒部の奥端寄り部分の内周面でこのスペーサの外周面を、この接続筒部の開口端寄り部分の内周面で上記挿入接続部の基端寄り部分の外周面を、それぞれ抑え付けている事を特徴とする端子接続構造体。
【請求項５】
導線が、素線を径方向に関して３層以上に積層する事により構成されたものであって、挿入接続部の先端寄り部分と基端寄り部分との間に、これら先端寄り部分及び基端寄り部分と先端側に向いた段差部を介して連続し、径方向に関する断面形状の大きさがこれら先端寄り部分と基端寄り部分との中間である、少なくとも１個所の挿入側中間部分が設けられており、上記挿入接続部の先端寄り部分に加えてこの挿入側中間部分にもスペーサが外嵌されている、請求項４に記載した端子接続構造体。
【請求項６】
導線の断面形状が矩形又は円形である、請求項１〜５のうちの何れか１項に記載した端子接続構造体。
【請求項７】
導体それぞれの外周面を絶縁層により被覆した複数本の素線を複数層に積層して成る導線を備えたケーブルと、この導線の端部を挿入可能な接続筒部を備えた圧縮端子とから成り、この接続筒部に上記導線の端部である挿入接続部を挿入した状態でこの接続筒部の直径を縮め、この接続筒部の内周面で上記導線の端部外周面を抑え付ける事により、この導線と上記圧縮端子とを接続する端子接続構造体の製造方法に於いて、上記挿入接続部の先端寄り部分で径方向外側の層を構成する素線を除去して径方向内側の素線を露出させてから、この径方向内側の素線の外周面を被覆した絶縁層のうちで少なくとも上記挿入接続部の外周面部分に存在する絶縁層を除去してこれら各素線の導体を露出させると共に、上記挿入接続部の基端寄り部分で径方向外側の層を構成する素線の外周面を被覆した絶縁層のうちで、少なくとも上記挿入接続部の外周面部分に存在する絶縁層を除去してこれら各素線の導体を露出させた後、上記挿入接続部を、上記接続筒部の内側空間に挿入し、次いで、この接続筒部を直径が縮まる方向に塑性変形させて、この内側空間のうち、上記挿入接続部の先端寄り部分を挿入する奥端寄り部分の内周面でこの挿入接続部の先端寄り部分の外周面を、この挿入接続部の基端寄り部分を挿入する開口端寄り部分の内周面でこの挿入接続部の基端寄り部分の外周面を、それぞれ抑え付ける事を特徴とする端子接続構造体の製造方法。
【請求項８】
導体それぞれの外周面を絶縁層により被覆した複数本の素線を複数層に積層して成る導線を備えたケーブルと、この導線の端部を挿入可能な接続筒部を備えた圧縮端子とから成り、この接続筒部に上記導線の端部である挿入接続部を挿入した状態でこの接続筒部の直径を縮め、この接続筒部の内周面で上記導線の端部外周面を抑え付ける事により、この導線と上記圧縮端子とを接続する端子接続構造体の製造方法に於いて、上記挿入接続部の先端寄り部分で径方向外側の層を構成する素線を除去して径方向内側の素線を露出させてから、この径方向内側の素線の外周面を被覆した絶縁層のうちで少なくとも上記挿入接続部の外周面部分に存在する絶縁層を除去してこれら各素線の導体を露出させると共に、上記挿入接続部の基端寄り部分で径方向外側の層を構成する素線の外周面を被覆した絶縁層のうち、少なくとも上記挿入接続部の外周面部分に存在する絶縁層を除去してこれら各素線の導体を露出させた後、上記挿入接続部の先端寄り部分に導電材製で筒状のスペーサを外嵌してから、このスペーサ及びこの挿入接続部の基端寄り部分を上記接続筒部の内側空間に挿入し、次いで、この接続筒部を直径が縮まる方向に塑性変形させて、この内側空間の奥端寄り部分の内周面で上記スペーサの外周面を、この内側空間の開口端寄り部分の内周面で上記挿入接続部の基端寄り部分の外周面を、それぞれ抑え付ける事を特徴とする端子接続構造体の製造方法。
【請求項９】
導体の外周面を被覆した絶縁層が溶剤に浸漬する事により剥離するものであり、挿入接続部の先端寄り部分で径方向外側の層を構成する素線を除去して径方向内側の素線を露出させた後、上記挿入接続部を上記溶剤中に浸漬して、径方向内側の層を構成する素線及び上記径方向外側の層を構成する素線の外周面を被覆している上記絶縁層のうち、少なくとも上記挿入接続部の外周面に存在する部分を剥離して除去する、請求項７〜８のうちの何れか１項に記載した端子接続構造体の製造方法。
【発明の詳細な説明】
【技術分野】
【０００１】
この発明の対象となる端子接続構造体は、電力ケーブル同士の接続、或いは電力機械と電力ケーブルとの接続部に使用する。特に本発明は、導体それぞれの外周面を絶縁層により被覆した複数本の素線を、撚り合わせつつ複数層に積層して成る導線を備えたケーブルと、圧縮端子とを接続する為に利用する。
【背景技術】
【０００２】
特殊な用途に使用されるケーブル用の導線として、図６に示す様な構造のものが知られている。このうち、図６の（Ａ）（Ｂ）に示した導線１、１ａは、複数本の素線２ａ、２ｂを撚り合わせつつ複数層に積層する事で構成している。即ち、外側に配置された複数本の素線２ａ、２ａを撚り合わせる事により成る外径側素線集合層３と、内側に配置された複数本の素線２ｂ、２ｂを撚り合わせる事により成る内径側素線集合層４とを、積層する事により構成している。又、図６の（Ｃ）に示した導線１ｂの場合、外径側、内径側各層３、４を構成する、それぞれ複数本ずつの素線２ａ、２ｂを押し潰して断面形状を矩形としている。何れの導線１、１ａ、１ｂの場合も、上記各素線２ａ、２ｂとして、アルミニウム又はアルミニウム合金、銅又は銅系合金等の良電導材製の導体の外周面に、絶縁材であるポリウレタン樹脂を焼き付けて絶縁層を形成した、所謂エナメル線を使用している。従って、上記導線１、１ａ、１ｂは、個々の素線２ａ、２ｂ同士が絶縁されているだけでなく、導線１、１ａ、１ｂ全体としても、外周面には絶縁層が存在する。
【０００３】
ところで、上述の様な構成を有する導線１、１ａ、１ｂを備えた電力機械同士を、接続ケーブルを用いて接続する場合、接続作業を容易に行なえる様にする為に、例えば特許文献１〜２等に記載される様な、圧縮端子を使用する事が考えられる。図７は、本発明者が先に発明した、（先発明に係る）圧縮端子５の１例を示している。この圧縮端子５は、上記図６に示した導線１、１ａ、１ｂのうちで、断面形状が矩形である導線１、１ｂを接続可能で、軸方向両端部に、平板状の接続板部６と異形筒状の接続筒部７とを設けている。又、このうちの接続板部６の中央部に通孔８を、この接続筒部７の中心部に挿入孔９を、それぞれ形成している。上記導線１、１ｂを上記圧縮端子５に接続固定する際には、この導線１、１ｂの端部を上記接続筒部７に設けた挿入孔９に挿入してから、この接続筒部７の外周面に、径方向内方に向いた力を加え、この接続筒部７を圧縮する。そして、上記挿入孔９の内周面により上記導線１、１ａの外周面を強く抑え付けて、この導線１、１ｂと上記圧縮端子５とを、電気的且つ機械的に接続固定する。又、上記接続ケーブルを上記圧縮端子５に接続するには、この接続ケーブルの端部に固定した環状の端子と、上記接続板部６に設けた通孔８とに、ボルトを挿通する。そして、このボルトとナットとを螺合し更に緊締する。
【０００４】
上記図７に示した構造の場合、上記挿入孔９の内周面を四角筒面としている。これに対して、図８の（Ａ）〜（Ｃ）に示す様に、接続筒部７ａを円筒状とし、挿入孔９ａの内周面を円筒面とした圧縮端子５ａを使用する事も考えられる。この様な圧縮端子５ａの接続筒部７ａには、前記図６の（Ｂ）及び図８の（Ｄ）に示す様な、断面形状が円形である導線１ａより成るケーブル１０の端部を挿入し接続する。
【０００５】
但し、上記接続筒部７、７ａに上記導線１、１ａ、１ｂを接続し、この接続筒部７、７ａと、この導線１、１ａ、１ｂを構成する上記各素線２ａ、２ｂとを電気的に導通させる為には、単に、この導線１、１ａ、１ｂの端部を、上記挿入孔９、９ａ内に挿入するだけでは不十分である。即ち、前述した様に、上記導線１、１ａ、１ｂの端部外周面は、絶縁層（ポリウレタン樹脂、エナメル）により覆われている。この為、上記接続筒部７、７ａと、上記導線１、１ａ、１ｂを構成する上記各素線２ａ、２ｂとを電気的に導通させる為には、この導線１、１ａ、１ｂの端部で、これら各素線２ａ、２ｂの外周面を被覆している絶縁層を除去する必要がある。この場合に、導線１、１ａ、１ｂ全体としての外周面に関しては、絶縁層の除去を容易に行なえる。但し、個々の素線２ａ、２ｂ同士を絶縁している絶縁層のうち、上記導線１、１ａ、１ｂ全体としての外周面に露出していない部分に存在する絶縁層の除去は面倒である。そして、この部分の絶縁層を除去できない限り、前記内径側素線集合層４を構成する上記各素線２ｂ、２ｂと上記接続筒部７、７ａとを電気的に導通させる事はできない。言い換えれば、この接続筒部７、７ａと電気的に導通するのは、上記外径側素線集合層４を構成する上記各素線２ａ、２ａのみとなる。
【０００６】
上記個々の素線２ａ、２ｂを絶縁している絶縁層を除去する方法としては、次の（１）（２）に示した２通りの方法が考えられる。
（１）上記導線１、１ａ、１ｂの端部で素線２ａ、２ｂを解し、これら各素線２ａ、２ｂの端部外周面を露出させ、この端部外周面の絶縁層を、機械的に削り落として除去する。
（２）上記導線１、１ａ、１ｂの端部を、絶縁層（ポリウレタン樹脂）を溶解させる剥離剤（有機溶剤）に浸漬して、上記各素線２ａ、２ｂの外周面を覆っている絶縁層を剥離させて除去する。
【０００７】
上記２通りの除去方法のうち、（１）の除去方法の場合には、素線２ａ、２ｂを解す作業、これら各素線２ａ、２ｂの端部外周面の絶縁層を機械的に削り落とす作業が面倒なだけでなく、これら各素線２ａ、２ｂを解す事で、上記導線１、１ａ、１ｂの端部の外径が大きくなり、この端部を圧縮端子５、５ａの接続筒部７、７ａに挿入できなくなる。
又、上記（２）の除去方法の場合には、上記導線１、１ａ、１ｂの端部外周面に露出している各素線２ａ、２ｂの外周面を覆っている絶縁層を剥離させる事はできても、内径側素線集合層４を構成する各素線２ｂ、２ｂの外周面を覆っている絶縁層を剥離させる事は難しい。特に、各素線２ａ、２ｂを撚り合わせた後、径方向に圧縮してこれら各素線２ａ、２ｂの外周面同士を密接させた｛図６の（Ｃ）に示す様に圧縮成形した｝導線１ｂの場合には、隣り合う素線２ａ、２ｂ同士の間に上記剥離剤が入り込みにくい。この為、内径側素線集合層４を構成する各素線２ｂ、２ｂの外周面を覆っている絶縁層に就いては、殆ど剥離させられない。
【０００８】
【特許文献１】特開２００２−３２０３２１号公報
【特許文献２】特開２００１−１６９４５６号公報
【発明の開示】
【発明が解決しようとする課題】
【０００９】
本発明は、上述の様な事情に鑑みて、特殊用途に使用されるケーブルを構成する導線の端部と、圧縮端子との接続を容易に行なえる、端子接続構造体及びその製造方法を実現すべく発明したものである。
【課題を解決するための手段】
【００１０】
本発明の対象となる端子接続構造体は、何れの場合も、ケーブルと圧縮端子とから成る。
このうちのケーブルは、導体それぞれの外周面を絶縁層により被覆した複数本の素線を複数層に積層して成る導線を備える。尚、この導線の外周面は、必要に応じて、ゴム、ビニール等の絶縁体により被覆している。
又、上記圧縮端子は、上記導線の端部を挿入可能な接続筒部を備える。又、この圧縮端子の一部でこの接続筒部から外れた部分には、必要に応じて、接続ケーブルの端部を接続する為の接続板部を設ける。
それぞれが上述の様な構成を有する、上記ケーブルと圧縮端子とは、上記接続筒部に、上記導線の端部であって上記絶縁体から露出した挿入接続部を挿入した状態で、この接続筒部の直径を縮め、この接続筒部の内周面で上記導線の端部外周面を抑え付ける事により、この導線と上記圧縮端子とを接続している。
【００１１】
特に、本発明の端子接続構造体に於いては、上記挿入接続部の先端寄り部分は、径方向外側の層を構成する素線を除去して径方向内側の層を構成する素線を露出させると共に、この径方向内側の層を構成する素線の外周面を被覆した絶縁層のうちで少なくとも上記挿入接続部の外周面部分に存在する絶縁層を除去してこれら各素線の導体を露出させている。又、上記挿入接続部の基端寄り部分は、径方向外側の層を構成する素線の外周面を被覆した絶縁層のうちで少なくとも上記挿入接続部の外周面部分に存在する絶縁層を除去してこれら各素線の導体を露出させている。
【００１２】
そして、本発明のうちの第一の発明の端子接続構造体の場合には、上記接続筒部の内側空間のうち、上記挿入接続部の先端寄り部分を挿入する奥端寄り部分の内周面でこの挿入接続部の先端寄り部分の外周面を、この挿入接続部の基端寄り部分を挿入する開口端寄り部分の内周面でこの挿入接続部の基端寄り部分の外周面を、それぞれ抑え付けている。
【００１３】
又、上述の様な第一の発明の端子接続構造体を実施する場合には、上記接続筒部の内側空間の径方向に関する断面形状及び大きさを、上記挿入接続部の先端寄り部分を挿入する奥端寄り部分と、この挿入接続部の基端寄り部分を挿入する開口端寄り部分とで互いに異なるものとする。そして、上記奥端寄り部分を、少なくとも上記挿入接続部の先端寄り部分を挿入できる断面形状及び大きさとすると共に、上記開口端寄り部分を、この挿入接続部の基端寄り部分を挿入できる断面形状及び大きさとする。
【００１４】
又、本発明のうちの第二の発明の端子接続構造体の場合には、上記接続筒部の内側空間の径方向に関する断面形状及び大きさを、上記挿入接続部の先端寄り部分を挿入する奥端寄り部分からこの挿入接続部の基端寄り部分を挿入する開口端寄り部分に至る迄同一としている。又、上記挿入接続部の先端寄り部分には、導電材製で筒状のスペーサを外嵌している。そして、上記接続筒部の奥端寄り部分の内周面でこのスペーサの外周面を、この接続筒部の開口端寄り部分の内周面で上記挿入接続部の基端寄り部分の外周面を、それぞれ抑え付けている。
【００１５】
上述の様な本発明のうちの第一の発明の端子接続構造体を実施する場合で、導線が、素線を径方向に関して３層以上に積層する事により構成されたものである場合には、上記挿入接続部の先端寄り部分と基端寄り部分との間に、これら先端寄り部分及び基端寄り部分と先端側に向いた段差部を介して連続し、径方向に関する断面形状の大きさがこれら先端寄り部分と基端寄り部分との中間である、少なくとも１個所の挿入側中間部分を設ける。又、上記接続筒部の内側空間の奥端寄り部分と開口端寄り部分との間に、これら奥端寄り部分及び開口端寄り部分と内側空間の開口側に向いた段差部を介して連続し、径方向に関する断面形状の大きさがこれら奥端寄り部分と開口端寄り部分との中間である、被挿入側中間部分を設ける。
尚、上記挿入接続部に関して、径方向に関する断面形状の大きさが先端寄り部分と基端寄り部分との中間とは、これら先端寄り部分と基端寄り部分との間に設けられた挿入側中間部分の径方向に関する断面積が、先端寄り部分よりも大きく、基端寄り部分よりも小さい事を言う（第二の発明に就いても同様）。反対に、上記接続筒部の内側空間に関して、径方向に関する断面形状の大きさが奥端寄り部分と開口端寄り部分との中間とは、これら奥端寄り部分と開口端寄り部分との間に設けられた被挿入側中間部分の径方向に関する断面積が、奥端寄り部分よりも大きく、開口端寄り部分よりも小さい事を言う。
【００１６】
又、第二の発明の端子接続構造体を実施する場合で、導線が、素線を径方向に関して３層以上に積層する事により構成されたものである場合には、上記挿入接続部の先端寄り部分と基端寄り部分との間に、これら先端寄り部分及び基端寄り部分と先端側に向いた段差部を介して連続し、径方向に関する断面形状の大きさがこれら先端寄り部分と基端寄り部分との中間である、少なくとも１個所の挿入側中間部分を設ける。又、上記挿入接続部の先端寄り部分に加えてこの挿入側中間部分にもスペーサを外嵌する。
又、上述の様な本発明の端子接続構造体を実施する場合、上記導線の断面形状は特に問わない。一般的にはこの断面形状を、矩形又は円形とする。
【００１７】
又、端子接続構造体の製造方法は、何れの場合も、先ず、上記挿入接続部の先端寄り部分で径方向外側の層を構成する素線を除去し、径方向内側の素線を露出させてから、この径方向内側の素線の外周面を被覆した絶縁層のうちで少なくとも上記挿入接続部の外周面部分に存在する絶縁層を除去して、これら各素線の導体を露出させる。これと共に、上記挿入接続部の基端寄り部分で径方向外側の層を構成する素線の外周面を被覆した絶縁層のうちで少なくとも上記挿入接続部の外周面部分に存在する絶縁層を除去して、これら各素線の導体を露出させる。
【００１８】
そして、本発明のうちの第三の発明の端子接続構造体の製造方法の場合には、その後、上記挿入接続部を、上記接続筒部の内側空間に挿入する。次いで、この接続筒部を直径が縮まる方向に塑性変形させて、この内側空間のうち、上記挿入接続部の先端寄り部分を挿入する奥端寄り部分の内周面でこの挿入接続部の先端寄り部分の外周面を、この挿入接続部の基端寄り部分を挿入する開口端寄り部分の内周面でこの挿入接続部の基端寄り部分の外周面を、それぞれ抑え付ける。
【００１９】
又、本発明のうちの第四の発明の端子接続構造体の製造方法の場合には、その後、上記挿入接続部の先端寄り部分に導電材製で筒状のスペーサを外嵌してから、このスペーサ及びこの挿入接続部の基端寄り部分を上記接続筒部の内側空間に挿入する。次いで、この接続筒部を直径が縮まる方向に塑性変形させて、この内側空間の奥端寄り部分の内周面で上記スペーサの外周面を、この内側空間の開口端寄り部分の内周面で上記挿入接続部の基端寄り部分の外周面を、それぞれ抑え付ける。
【００２０】
上述の様な本発明の端子接続構造体の製造方法を実施する場合に好ましくは、上記導体の外周面を被覆した絶縁層を、溶剤に浸漬する事により剥離するものとする。そして、上記挿入接続部の先端寄り部分で径方向外側の層を構成する素線を除去して径方向内側の素線を露出させた後、上記挿入接続部を上記溶剤中に浸漬して、径方向内側の層を構成する素線及び上記径方向外側の層を構成する素線の外周面を被覆している上記絶縁層のうち、少なくとも上記挿入接続部の外周面部分に存在する絶縁層を剥離して除去する。
【発明の効果】
【００２１】
それぞれが上述の様に構成する、本発明の端子接続構造体及びその製造方法によれば、ケーブルを構成する導線の端部と圧縮端子の接続筒部との接続を容易に行なえる。
即ち、この導線の端部の挿入接続部を、先端寄り部分が細く、基端寄り部分が太い段付形状とする事で、上記導線を構成する各素線の外周面を覆っている絶縁層のうち、上記挿入接続部の外周面に露出している絶縁層を容易且つ確実に剥離できる。この為、上記挿入接続部でこれら各素線を解さなくても、これら各素線の外周面を覆っている絶縁層のうちで、上記接続筒部の内周面と接触する部分を覆っている絶縁層を剥離し、この接続筒部と上記各素線とを導通させられる（電気的に接続できる）。
【発明を実施するための最良の形態】
【００２２】
［実施の形態の１例］
図１〜２は、本発明の実施の形態の１例を示している。本例の端子接続構造体は、図１に示す様に、ケーブル１０と圧縮端子５ｂとを、機械的、且つ、電気的に接続して成る。このうちのケーブル１０は、導線１ａの外周面を絶縁体１１により被覆して成る。又、この導線１ａは、前述の図６の（Ｂ）に示す様に、複数本の素線２ａ、２ｂを撚り合わせると共に、外径側素線集合層３と内径側素線集合層４とを積層して成る。又、上記各素線２ａ、２ｂは、導体それぞれの外周面をポリウレタン樹脂製の絶縁層により被覆した、所謂エナメル線である。
【００２３】
又、上記圧縮端子５ｂは、軸方向両端部に、平板状の接続板部６ａと、外周面が円筒面状で内周面が段付円筒状である接続筒部７ｂとを設けている。又、このうちの接続板部６ａの中央部に通孔８（図８参照）を、この接続筒部７ｂの中心部に挿入孔９ｂを、それぞれ形成している。それぞれが上述の様な構成を有する、上記ケーブル１０と上記圧縮端子５ｂとは、上記接続筒部７ｂの挿入孔９ｂに上記導線１ａの端部である挿入接続部１２を挿入した状態でこの接続筒部７ｂの直径を縮め、この接続筒部７ｂの内周面で、上記導線１ａの端部である、上記挿入接続部１２の外周面を抑え付ける事により、この導線１ａと上記圧縮端子５ｂとを接続している。尚、この圧縮端子５ｂは、上記接続筒部７ｂ側をアルミニウム又はアルミニウム系合金、接続板部６ａ側を銅又は銅系合金としている。この構成により、銅又は銅系合金製の接続ケーブルの導線とアルミニウム又はアルミニウム系合金製の圧縮端子５ｂとが接触して、接触部に電気的腐蝕が発生する事を防止している。尚、上記接続筒部７ｂと上記接続板部６ａとの突き合わせ部近傍部分の外周面には防水被覆を施して、この突き合わせ部に電気的腐蝕が発生する事を防止している。
【００２４】
特に、本例の端子接続構造体に於いては、上記挿入接続部１２の先端寄り（図１の右寄り）部分は、先半部１３（図１の右半部）の外径が小さく、基半部１４（図１の左半部）の外径が大きい、段付形状としている。この為に、上記挿入接続部１２の先半部１３では、図６の（Ｂ）に示した各素線２ａ、２ｂのうち、外径側素線集合層３を構成する素線２ａ、２ａを除去して内径側素線集合層４を構成する素線２ｂ、２ｂを露出させている。又、この内径側素線集合層４を構成する素線２ｂ、２ｂの外周面を被覆した絶縁層（ポリウレタン樹脂、エナメル）のうちで上記挿入接続部１２の外周面部分に存在する絶縁層を除去して、これら各素線２ｂ、２ｂの導体を、この挿入接続部１２の外周面に露出させている。又、上記挿入接続部１２の基半部１４では、図６の（Ｂ）に示した各素線２ａ、２ｂのうち、上記外径側素線集合層３を構成する素線２ａ、２ａの外周面を被覆した絶縁層を除去して、これら各素線２ａ、２ａの導体を露出させている。
【００２５】
一方、上記圧縮端子５ｂを構成する接続筒部７ｂの内径（内側空間の断面積）を、上記挿入接続部１２の先半部１３を挿入する奥半部１５で小さく（断面積を狭く）、この挿入接続部１２の基半部１４を挿入する開口側半部１６で大きく（断面積を広く）している。そして、上記奥半部１５の内周面で上記挿入接続部１２の先端寄り部分の外周面を、この開口側半部１６の内周面でこの挿入接続部１２の基半部１４の外周面を、それぞれ抑え付けている。
【００２６】
上述の様な本例の端子接続構造体は、図２に示す様にして組み立てる。先ず、図２の（Ａ）に略示する様に、上記挿入接続部１２の先半部１３で、上記外径側素線集合層３を構成する素線２ａ、２ａを除去して、上記内径側素線集合層４を構成する素線２ｂ、２ｂを露出させる。この作業は、上記挿入接続部１２の軸方向中央部に、この挿入接続部１２の外周面から中心部に向けて、上記外径側素線集合層３を構成する素線２ａ、２ａの外径分の切り込みを全周に亙って形成した後、これら各素線２ａ、２ａを径方向外側に引き剥す事で行なう。
【００２７】
次いで、図２の（Ｂ）に示す様に、貯液槽１７内に貯溜した有機溶剤１８中に上記挿入接続部１２を浸漬する事により、この挿入接続部１２の外周面に露出した、上記各素線２ａ、２ｂの外周面を被覆していた絶縁層（ポリウレタン樹脂、エナメル）を剥離、除去する。上記挿入接続部１２の先半部１３では上記内径側素線集合層４を構成する素線２ｂ、２ｂが、同じく基半部１４では上記外径側素線集合層３を構成する素線２ａ、２ａが、それぞれ上記挿入接続部１２の外周面に露出している。従って、導線１ｂを構成する各素線２ａ、２ｂのほぼ全部の｛図６の（Ｂ）に関しては、中心部の１本を除く｝導体を、上記挿入接続部１２の外周面に露出させられる。
【００２８】
上述の様にして、外径側及び内径側各素線集合層３、４を構成する、上記各素線２ａ、２ｂの導体を、上記挿入接続部１２の外周面に露出させたならば、この挿入接続部１２を、図２の（Ｄ）に示す様な圧縮端子５ｂの接続筒部７ｂに挿入する。前述した通り、この接続筒部７ｂの奥半部１５の内径は開口側半部１６の内径に比べて小さい。この様な接続筒部７ｂ内に上記挿入接続部１２を、前述の図１に示す様に、この接続筒部７ｂの奥半部１５（前述の［課題を解決するための手段］に記載した「奥端寄り部分」）にこの挿入接続部１２の先半部１３（前述の［課題を解決するための手段］に記載した「先端寄り部分」）が位置するまで挿入した後、この接続筒部７ｂの外周面を径方向内方に強く押圧する。そして、この接続筒部７ｂを、その直径が縮まる方向に塑性変形させる。
【００２９】
この結果、この接続筒部７ｂの奥半部１５の内周面が上記挿入接続部１２の先半部１３の外周面を、この接続筒部７ｂの開口側半部１６（前述の［課題を解決するための手段］に記載した「開口端寄り部分」）の内周面がこの挿入接続部１２の基半部１４（前述の［課題を解決するための手段］に記載した「基端寄り部分」）を、それぞれ抑え付ける。上述した通り、この挿入接続部１２の先半部１３の外周面には、上記内径側素線集合層４の素線２ｂ、２ｂを構成する導体が、同じく基半部１４の外周面には上記外径側素線集合層３の素線２ａ、２ａを構成する導体が、それぞれ露出している。従って、上述の様に接続筒部７ｂの直径を縮める事で、これら各素線２ａ、２ｂの導体を上記接続筒部７ｂに、機械的且つ電気的に接続できる。即ち、これら各素線２ａ、２ｂの導体が絶縁層を介する事なく、直接上記接続筒部７ｂの内周面に強く接触する事で電気的に接続され、接触面に作用する大きな摩擦力により機械的に接続される。
本例の端子接続構造体及びその製造方法は、上述の様に構成する為、前記ケーブル１０を構成する導線１ａの端部と、上記圧縮端子５ｂの接続筒部７ｂとの接続を容易に行なえる。
【産業上の利用可能性】
【００３０】
上述の様な本発明の端子接続構造体及びその製造方法を実施する場合で、導線が、素線を径方向に関して３層以上に積層する事により構成されたものである場合には、次述する様な構成を採用する事もできる。例えば断面円形の導線を考えた場合に、挿入接続部の先端寄り部分と基端寄り部分との間に、これら先端寄り部分及び基端寄り部分と先端側に向いた段差部により連続し、断面の大きさがこれら先端寄り部分と基端寄り部分との中間である、少なくとも１個所の挿入側中間部分を設ける（挿入接続部の段数を３段以上とする）。又、上記接続筒部の奥端寄り部分と開口端寄り部分との間に、上記挿入接続部を挿入すべき空間の径方向に関する断面積がこれら奥端寄り部分と開口端寄り部分との中間である、被挿入側中間部分を設ける。この様な構成を採用すれば、図６の（Ｂ）の中心に配置した１本の素線の導体に就いても、圧縮端子に電気的に接続できる。
【００３１】
又、本発明の端子接続構造体及びその製造方法を実施する場合、ケーブルを構成する導線の断面形状は特に問わない。図２に示した様な、断面円形の導線１ａに限らず、図３に示す様な、断面矩形の導線１ｃを採用する事もできる。この様な断面矩形の導線１ｃとしては、図６の（Ａ）に示す様な、単に複数本の素線２ａ、２ｂを断面矩形に束ねたもの以外に、同図（Ｃ）に示す様な、各素線２ａ、２ｂを押し潰して、隣り合う素線２ａ、２ｂ同士の間の隙間をなくしたものを採用する事もできる。
【００３２】
又、接続すべきケーブルと圧縮端子とは、必ずしも１対１でなくても良い。例えば、図４に示す様に、２個の接続筒部７ｃ、７ｃと１枚の接続板部６ｂとを備えた圧縮端子５ｃと、２本のケーブル１０、１０との接続に、本発明を適用する事もできる。
但し、図４に示した構造を実施する場合、開口端寄り部分の断面積に比べて奥端寄り部分の断面積が狭い挿入孔９ｃの加工が面倒になる可能性がある。特に、上記図３に示した様な、断面矩形の導線１ｃの接続を行なう為、断面形状が矩形である段付の挿入孔を、工業的手法により（低コストで）形成する事は困難である。又、開口端寄り部分の断面の形状と奥端寄り部分の断面の形状とが互いに異なり、この開口端寄り部分の断面の大きさに比べて奥端寄り部分の断面の大きさが小さい挿入孔９ｃに、基端寄り部分の断面の形状と先端寄り部分の断面の形状とが互いに異なり、この基端寄り部分の断面の大きさに比べて先端寄り部分の断面の大きさが小さくなった挿入接続部を挿入する事が難しい事も考えられる。そこで、この様な場合には、図４の鎖線及び図５に示す様に、内側空間である挿入孔９ｃの断面積（径方向に関する断面積）が開口部から奥端部迄変化しない本体１９を用意し、この本体１９の挿入孔９ｃの奥部にスペーサ２０を内嵌する事もできる。
【００３３】
上記スペーサ２０は、圧縮端子と同様に、アルミニウム又はアルミニウム合金、銅又は銅系合金等の、電気抵抗が低く、塑性変形可能な金属材料により造る。尚、この様なスペーサ２０を使用する場合、このスペーサ２０を予め挿入孔９ｃに挿入しておいても良い。但し、この場合には、挿入孔９ｃの加工が容易になるだけで、挿入作業の容易化は図れない。従って、好ましくは、このスペーサ２０を予め導線１ｃの挿入接続部１２の先端寄り部分に外嵌してから、これらスペーサ２０と挿入接続部１２とを、一挙に上記挿入孔９ｃ内に挿入する。何れにしても、これらスペーサ２０と挿入接続部１２とを、上記本体１９の接続筒部７ｄに挿入した後、この接続筒部７ｄを上記スペーサ２０と共に直径が縮まる方向に塑性変形させて、上記挿入接続部１２の先端寄り部分をこのスペーサ２０の内周面により、この挿入接続部１２の基端寄り部分を、上記本体１９の接続筒部７ｄのうちで上記スペーサ２０よりも開口寄り部分の内周面で、それぞれ抑え付ける。この様なスペーサ２０を使用する構造及び製造方法も、勿論、本発明の技術的範囲に属する。
【図面の簡単な説明】
【００３４】
【図１】本発明の実施の形態の１例を示す断面図。
【図２】この構造を組み立てる工程を順番に示す断面図。
【図３】ケーブルの別例を示す端部斜視図。
【図４】本発明の端子接続構造体の構造の別例を、未接続状態で示す断面図。
【図５】本発明の端子接続構造体の構造の別例を、未接続状態で示す斜視図。
【図６】特殊用途に用いられるケーブルを構成する導線の３例を示す断面図。
【図７】先に考えた圧縮端子を示す、平面図（Ａ）、側面図（Ｂ）、端面図（Ｃ）。
【図８】同じく先に考えた圧縮端子を示す、平面図（Ａ）、側面図（Ｂ）、端面図（Ｃ）及びこの圧縮端子に接続する導線の端部斜視図（Ｄ）。
【符号の説明】
【００３５】
１、１ａ、１ｂ、１ｃ  導線
２ａ、２ｂ  素線
３    外径側素線集合層
４    内径側素線集合層
５、５ａ、５ｂ、５ｃ  圧縮端子
６、６ａ、６ｂ  接続板部
７、７ａ、７ｂ、７ｃ、７ｄ  接続筒部
８    通孔
９、９ａ、９ｂ、９ｃ  挿入孔
１０    ケーブル
１１    絶縁体
１２    挿入接続部
１３    先半部
１４    基半部
１５    奥半部
１６    開口側半部
１７    貯液槽
１８    有機溶剤
１９    本体
２０    スペーサ
【図１】
2008148416.tif 000003
【図２】
2008148416.tif 000004
【図３】
2008148416.tif 000005
【図４】
2008148416.tif 000006
【図５】
2008148416.tif 000007
【図６】
2008148416.tif 000008
【図７】
2008148416.tif 000009
【図８】
2008148416.tif 000010